(57)【要約】【課題】  小型の移動スクリーンを用いて浴槽内にシャワーの飛沫が入ることを防止できる浴室のスクリーン構造を提供すること。【解決手段】  浴室１０内に、浴槽１６と洗い場１７との境界部に沿って移動する移動スクリーン２６を備えたスクリーン構造２０を設けた。このスクリーン構造２０は、浴室１０の壁面部１３における浴槽１６と洗い場１７との境界部に対応する部分に設けられたシャワーポール２３と、シャワーポール２３から浴槽１６と洗い場１７との境界部に沿って延びるレール部２４ａ，２４ｂとを備えている。そして、移動スクリーン２６をレール部２４ａ，２４ｂに沿って移動可能に取り付け、移動スクリーン２６の洗い場１７側の面にシャワーヘッド２１ａを設置するための設置部２７を設けた。また、壁面部１４に、不使用時に、シャワーヘッド２１ａを取り付けるためのシャワーフック２２を設けた。【選択図】  図１
2006230450.tif 000002
【特許請求の範囲】
【請求項１】
浴室の浴槽と洗い場との境界部に沿って移動する所定の強度を有する板状の移動スクリーンを備えた浴室のスクリーン構造であって、前記浴室の壁面部における前記浴槽と前記洗い場との境界部に対応する部分に、前記移動スクリーンを前記浴槽と前記洗い場との間に進退可能な状態にして支持する支持機構を設けるとともに、前記移動スクリーンにおける前記洗い場側の面に、シャワーヘッドの保持部を設けたことを特徴とする浴室のスクリーン構造。
【請求項２】
前記支持機構を、前記壁面部側から前記浴槽と前記洗い場との境界部に沿って前記壁面部に対向する対向壁面部側に向って延びるレール部で構成し、前記移動スクリーンを前記レール部に沿って移動させることにより前記浴槽と前記洗い場との間に進退可能にした請求項１に記載の浴室のスクリーン構造。
【請求項３】
前記支持機構を、前記壁面部側から前記浴槽と前記洗い場との境界部に沿って前記浴室の中央側に延び内部に前記移動スクリーンを収容できる収容部が形成され先端面に進退用の開口が形成された収容壁部で構成し、前記移動スクリーンをスライドさせることにより前記収容壁部から進退可能にした請求項１に記載の浴室のスクリーン構造。
【請求項４】
前記支持機構を、前記壁面部側から前記浴槽と前記洗い場との境界部に沿って前記浴室の中央側に延びる支持壁部と、前記支持壁部における前記浴室の中央側縁部に取り付けられた回転支持部材とで構成するか、または前記壁面部に取り付けられた回転支持部材で構成し、前記移動スクリーンを前記回転支持部材を中心として回転させることにより、前記支持壁部または前記壁面部と、前記浴槽と前記洗い場との境界部との間で進退可能にした請求項１に記載の浴室のスクリーン構造。
【請求項５】
前記浴室の洗い場側の所定部分に、前記シャワーヘッドの第２の保持部を設け、シャワー装置の不使用時には、前記シャワーヘッドを前記第２の保持部に保持させ、前記シャワー装置の使用時には、前記シャワーヘッドを前記保持部に保持できるようにした請求項１ないし４のうちのいずれか一つに記載の浴室のスクリーン構造。
【発明の詳細な説明】
【技術分野】
【０００１】
本発明は、浴室の浴槽と洗い場との間を遮蔽する移動スクリーンを備えた浴室のスクリーン構造に関する。
【背景技術】
【０００２】
従来から、浴室の中には、洗い場でシャワー装置を使用したときに、その飛沫が浴槽内に入ることを防止する等の目的で、浴槽と洗い場との間を開閉するためのスクリーンを備えたものがある（例えば、特許文献１参照）。この浴室が備えるスクリーンは、不使用時には、浴室の天井部または壁面部の上部側部分に設けられたスクリーン収容部内にロール状に巻かれて収容されており、使用時には、下方に引き出すことができるように構成されている。
【特許文献１】特開２０００−１０４４１２号公報
【発明の開示】
【０００３】
しかしながら、この浴室のスクリーンは、浴室内における浴槽側と洗い場側とを完全に遮蔽する必要から比較的大きなもので構成されるため、不使用時にはロール状に巻く等して収容する必要があり、強度的にも他の機能を付加することは困難であった。
【０００４】
本発明は、前述した問題に対処するためになされたもので、その目的は、ロール状等に収容する必要のない小型の移動スクリーンを用いて浴槽内にシャワーの飛沫が入ることを防止できる浴室のスクリーン構造を提供することである。
【０００５】
前述した目的を達成するため、本発明に係る浴室のスクリーン構造の構成上の特徴は、浴室の浴槽と洗い場との境界部に沿って移動する所定の強度を有する板状の移動スクリーンを備えた浴室のスクリーン構造であって、浴室の壁面部における浴槽と洗い場との境界部に対応する部分に、移動スクリーンを浴槽と洗い場との間に進退可能な状態にして支持する支持機構を設けるとともに、移動スクリーンにおける洗い場側の面に、シャワーヘッドの保持部を設けたことにある。
【０００６】
このように構成した本発明に係る浴室のスクリーン構造では、移動スクリーンにおける洗い場側の面に、シャワーヘッドの保持部を設けたため、シャワー装置を使用する場合には、シャワーヘッドから吐出される湯水は、移動スクリーン側から洗い場側に向けて散水される。したがって、シャワーヘッドから吐出される湯水が浴槽側に飛散することがなくなる。
【０００７】
また、この場合の移動スクリーンは、一旦、入浴者等に当たったのちに浴槽側に跳ね返る湯水を遮蔽できるだけの大きさがあればよいため小型で済み、ロール状等にして収容する必要がないため、シャワーヘッドを保持できる程度の所定の強度を容易に確保でき、シャワーヘッドの保持等の他の機能を付加することが可能となる。さらに、移動スクリーンの幅方向の両端側部分が洗い場側に突出するように移動スクリーンを湾曲させて形成することもできる。これによると、シャワーヘッドから吐出されて跳ね返った湯水が浴槽側に飛散することを、さらに、確実に防止できるとともに、移動スクリーンの小型化が可能になる。
【０００８】
また、本発明に係る浴室のスクリーン構造の他の構成上の特徴は、支持機構を、壁面部側から浴槽と洗い場との境界部に沿って壁面部に対向する対向壁面部側に向って延びるレール部で構成し、移動スクリーンをレール部に沿って移動させることにより浴槽と洗い場との間に進退可能にしたことにある。
【０００９】
これによると、簡単な構造で移動スクリーンを浴槽と洗い場との間に対して進退可能にすることができる。この場合のレール部は、移動スクリーンの上端側部分を移動可能に支持する１本のレールを対向する両壁面部に掛け渡して構成したものでもよいし、移動スクリーンの上端側部分および下端側部分を移動可能に支持する２本のレールを一方の壁面部から浴室の中央部側に延ばして構成したものでもよい。
【００１０】
本発明に係る浴室のスクリーン構造のさらに他の構成上の特徴は、支持機構を、壁面部側から浴槽と洗い場との境界部に沿って浴室の中央側に延び内部に移動スクリーンを収容できる収容部が形成され先端面に進退用の開口が形成された収容壁部で構成し、移動スクリーンをスライドさせることにより収容壁部から進退可能にしたことにある。
【００１１】
この場合、収容壁部の表面を意匠を施した化粧面にしておくことができ、これによると、浴室内の美観が向上する。また、移動スクリーンは、開口を介して収容壁部内の収容部と外部との間をスライドさせるだけですむため、移動スクリーンの取り付けが簡単になる。さらに、この浴室のスクリーン構造によると、移動スクリーンだけでなく、収容壁部もシャワー水の跳ね返りを防止するためのスクリーンとして利用することができる。その場合、シャワーヘッドを保持するための保持部を、移動スクリーンにおける壁面部側の縁部近傍に設けることにより、シャワー水の跳ね返りを防止するための効果がさらに増すようになる。
【００１２】
本発明に係る浴室のスクリーン構造のさらに他の構成上の特徴は、支持機構を、壁面部側から浴槽と洗い場との境界部に沿って浴室の中央側に延びる支持壁部と、支持壁部における浴室の中央側縁部に取り付けられた回転支持部材とで構成するか、または壁面部に取り付けられた回転支持部材で構成し、移動スクリーンを回転支持部材を中心として回転させることにより、支持壁部または壁面部と、浴槽と洗い場との境界部との間で進退可能にしたことにある。
【００１３】
これによると、支持機構を、壁面部から延びる支持壁部と回転支持部材とで構成した場合には、移動スクリーンと支持壁部とで、シャワー水の跳ね返りを防止するためのスクリーンを構成することができる。また、支持機構を壁面部に直接取り付けられた回転支持部材で構成した場合には、シャワー装置を使用しないときには、移動スクリーンを壁面部に沿わせて壁面部の表面の一部にすることができる。また、移動スクリーンの幅方向の中央部が支持壁部や壁面部に対して一定の距離を保つように、移動スクリーンを湾曲して形成することもでき、これによると保持部が支持壁部や壁面部に衝突することを防止できる。
【００１４】
本発明に係る浴室のスクリーン構造のさらに他の構成上の特徴は、浴室の洗い場側の所定部分に、シャワーヘッドの第２の保持部を設け、シャワー装置の不使用時には、シャワーヘッドを第２の保持部に保持させ、シャワー装置の使用時には、シャワーヘッドを保持部に保持できるようにしたことにある。
【００１５】
これによると、シャワー装置を使用するとき以外は、移動スクリーンにシャワーヘッドやシャワーホースの重量が掛からなくなるため、支持機構や移動スクリーンの保持構造を強固にする必要がなくなる。これによって、浴室のスクリーン構造の製造が容易になる。また、浴槽内に湯が入っていない場合には、移動スクリーンを使用することなく、シャワーヘッドを保持部に保持させたままの状態でシャワー装置を使用することができる。
【発明を実施するための最良の形態】
【００１６】
（第１実施形態）
以下、本発明の第１実施形態を図面を用いて説明する。図１は、同実施形態に係るスクリーン構造２０を備えた浴室１０を示している。この浴室１０の周側部は、屋外側に設けられる壁面部１１と、壁面部１１の左右両縁部にそれぞれ連結された壁面部１２，１３と、壁面部１１に対向して設置された壁面部１４とで構成されている。そして、壁面部１１の中央部に四角形の窓１１ａが設けられ、壁面部１２における壁面部１４側部分に、浴室１０と、浴室１０に隣接する脱衣室（図示せず）との間を開閉するドア１２ａが設けられている。
【００１７】
また、浴槽１６が壁面部１１に沿って設置されており、浴槽１６と壁面部１４との間の部分で洗い場１７が構成されている。浴槽１６の周側部は、壁面部１１，１２，１３に対向する部分が平面状に形成されて、それぞれ対応する壁面部１１，１２，１３に沿い、洗い場１７側部分が平面視が略Ｓ字になった曲面に形成されている。すなわち、浴槽１６の洗い場１７側の側面部１６ａは、壁面部１３側部分が壁面部１４の近くまで延びて洗い場１７側に突出し、壁面部１２側部分が、壁面部１２の幅方向の略中央（ドア１２ａも含めた中央）まで延びている。
【００１８】
そして、側面部１６ａの壁面部１３側部分が緩やかな円弧状の凹部に形成され、側面部１６ａの壁面部１２側部分が緩やかな円弧状の凸部に形成されて、全体が略Ｓ字状に形成されている。そして、浴槽１６の側面部１６ａにおける壁面部１３側の凹部に沿った部分にベンチ１８が設けられている。このベンチ１８は、洗い場１７側に向って突出した台状に形成されており、浴槽１６の上面よりも低く設定されている。また、このベンチ１８の平面視による形状は、両端部（壁面部１３側の端部と洗い場１７の中央側に位置する端部）が角部に形成された略楕円形になっている。
【００１９】
このベンチ１８の内部には、蒸気や温風等を発生させるための暖房装置が設けられており、ベンチ１８の前面下部には、暖房装置から発生する蒸気や温風を浴室１０内に吐出するための吐出孔（図示せず）が設けられている。また、壁面部１４における壁面部１３側の上部側部分には、シャワー装置２１のシャワーヘッド２１ａを保持するための第２の保持部としてのシャワーフック２２が設けられている。
【００２０】
そして、壁面部１３におけるベンチ１８の端部に対応する部分には、洗い場１７の床面から天井部（図示せず）に向って延びる管状のシャワーポール２３が設けられている。このシャワーポール２３の内部には、シャワー装置２１に湯水を送るための図示しない配管が内蔵されており、この配管は、給水管を介して給水装置に接続されている。また、シャワーポール２３の上下方向の略中央に形成された配管に接続する分岐管２３ａにシャワーホース２１ｂが連結されている。
【００２１】
また、シャワーポール２３の上端側部分と、浴槽１６の上面よりもやや上部に位置する部分とに、それぞれ側面部１６ａに沿って湾曲して延びる一対のレール部２４ａ，２４ｂが設けられている。このレール部２４ａ，２４ｂは、基端部がシャワーポール２３に固定され、中央部よりもややシャワーポール２３側の部分が固定部材２５ａ，２５ｂによって壁面部１３に固定されることによって、安定した状態で取り付けられている。このシャワーポール２３、レール部２４ａ，２４ｂおよび固定部材２５ａ，２５ｂで本発明の支持機構が構成されている。
【００２２】
そして、レール部２４ａ，２４ｂに沿ってスライド移動可能な状態で、移動スクリーン２６が取り付けられている。この移動スクリーン２６は、ポリカーボネート樹脂からなっており、レール部２４ａ，２４ｂの湾曲に沿うよう幅方向が湾曲し、シャワーフック等を保持できる程度の所定の強度を有する曲面状の板で構成されている。この移動スクリーン２６の裏面におけるレール部２４ａ，２４ｂに対応する部分には、それぞれレール部２４ａ，２４ｂに沿ってスライド可能に係合するスライド係合部（図示せず）が設けられている。このスライド係合部とレール部２４ａ，２４ｂとのスライド係合によって、移動スクリーン２６は、レール部２４ａ，２４ｂから外れることなく、壁面部１３側部分とベンチ１８の上方部分との間を移動できる。
【００２３】
そして、移動スクリーン２６の洗い場１７側の面における幅方向の中央部の上部側部分に、シャワー装置２１のシャワーヘッド２１ａを着脱可能に保持することができる保持部としてのシャワーフック２７が設けられている。また、移動スクリーン２６の洗い場１７側の面における下端部には、入浴者がベンチ１８に座ったときに背もたれとして利用できる背もたれ２８が形成されている。また、浴室１０の壁面部１３には、室内を照明するための照明装置２９が設けられ、浴槽１６の上面におけるスクリーン構造２０の近傍部分には湯水を取り込むための水栓（図示せず）が設けられている。さらに、図示していないが、壁面部１３におけるレール部２４ａ，２４ｂ間のシャワーポール２３側部分に、石鹸やシャンプー等の入浴用具を収容できる収容棚も形成されている。
【００２４】
この構成において、通常は、移動スクリーン２６を矢印ａの方向に移動してシャワーポール２３側に位置させておく。これによって、浴室１０内における浴槽１６側と洗い場１７側とを遮るものがなくなって浴室１０が広く感じられ、開放感を感じながら入浴することができる。また、洗い場１７で体や頭髪を洗う場合には、ベンチ１８をカウンターとして用いて、ベンチ１８の前に椅子を置くとともに、ベンチ１８の上面に洗面器を置いて、椅子に座り、水栓から洗面器内に湯水を取り込んで体や頭髪を洗うことができる。
【００２５】
また、シャワー装置２１を使用する場合には、移動スクリーン２６を矢印ｂの方向に移動してベンチ１８の上方に位置させる。ついで、シャワーヘッド２１ａを、シャワーフック２２から取り外して、シャワーフック２７に取り付ける（シャワー装置２１の不使用時には、シャワーヘッド２１ａはシャワーフック２２に取り付けられている）。そして、操作部（図示せず）を操作することにより、シャワーヘッド２１ａから湯水を吐出させる。このとき、入浴者は、洗い場１７に立った状態でシャワーを浴びることができるし、ベンチ１８の前に椅子を置いて座った状態、或いは、ベンチ１８に座った状態でシャワーを浴びることもできる。ベンチ１８に座ってシャワーを浴びる場合には、背中を移動スクリーン２６の背もたれ２８にもたれることもできる。
【００２６】
この場合、シャワーヘッド２１ａから吐出された湯水は、入浴者の体に当たって跳ね返るが、入浴者と浴槽１６との間には、移動スクリーン２６が位置しており、この移動スクリーン２６によって、シャワーの飛沫が浴槽１６内に入ることが防止される。移動スクリーン２６に衝突した水滴等は、洗い場１７側に流れ、洗い場１７に設けられた排水口（図示せず）から外部に排出される。また、移動スクリーン２６に衝突せずに、洗い場１７に落下した水滴等は、そのまま排水口から外部に流れて行く。
【００２７】
また、暖房装置を作動させて、ベンチ１８に座ることにより、ベンチ１８の下部の吐出孔から吐出する蒸気等が入浴者の足元に当たり、入浴者は快適なサウナ浴等を行うことができる。この場合、背もたれ２８にもたれることにより、さらにリラックスした気分になる
【００２８】
このように、本実施形態に係るスクリーン構造２０では、移動スクリーン２６における洗い場１７側の面にシャワーフック２７を保持させ、シャワー装置２１を使用する際には、シャワーヘッド２１ａをシャワーフック２７に保持させるようにしている。このため、シャワーヘッド２１ａから吐出される湯水は、移動スクリーン２６から洗い場１７に向けて散水されるようになり、浴槽１６内に入ることがなくなる。
【００２９】
この際、入浴者の体に当たった水滴等が浴槽１６側に跳ね返っても、その水滴等は移動スクリーン２６によって、洗い場１７側に跳ね返される。また、このスクリーン構造２０では、支持機構を、レール部２４ａ，２４ｂ等で構成したため、簡単な構造で移動スクリーン２６を移動させることができる。さらに、移動スクリーン２６を湾曲した板体で構成したため、幅を小さくしてもシャワーの飛沫が浴槽１６側に入ることをより確実に防止できる。
【００３０】
（第２実施形態）
図２は、本発明の第２実施形態に係るスクリーン構造３０を備えた浴室１０ａを示している。このスクリーン構造３０では、シャワーポール３３から、レール部２４ａ，２４ｂに代えて、内部にスクリーン収容部３４ａが形成された収容壁部３４が湾曲して延びている。この収容壁部３４の先端面には移動スクリーン３６が進退するための開口が設けられ、収容壁部３４の洗い場３５側の面における上部側部分には、スライド溝３４ｂが設けられている。
【００３１】
スライド溝３４ｂは、収容壁部３４の先端部から収容壁部３４の幅方向の略中央に向って水平に延びている。そして、移動スクリーン３６は、収容壁部３４におけるスクリーン収容部３４ａの内部と外部との間でスライド移動可能になっており、その際、移動スクリーン３６に設けられた保持部としてのシャワーフック３７は、スライド溝３４ｂに沿って移動する。なお、この移動スクリーン３６には、背もたれは設けられていない。このスクリーン構造３０を備えた浴室１０ａのそれ以外の部分の構成は、前述した浴室１０と同一である。したがって、同一部分に同一符号を記して説明は省略する。
【００３２】
このように、構成したため、移動スクリーン３６の収容壁部３４内への取り付けが簡単になる。また、収容壁部３４が壁面状に形成されているため美観が向上する。このスクリーン構造３０を備えた浴室１０ａのそれ以外の作用効果は、前述した浴室１０と同様である。
【００３３】
（第３実施形態）
図３は、本発明の第３実施形態に係るスクリーン構造４０を備えた浴室１０ｂを示している。このスクリーン構造４０では、シャワーポール４３から、湾曲した板状の支持壁部４４が延びている。そして、この支持壁部４４の先端縁部における洗い場４５側の面の上部および下部に、それぞれ本発明の回転支持部材としての蝶番４５ａ，４５ｂの一方が固定され、その蝶番４５ａ，４５ｂの他方に移動スクリーン４６が蝶番４５ａ，４５ｂを中心として回転可能に取り付けられている。このスクリーン構造４０を備えた浴室１０ｂのそれ以外の部分の構成は、前述した浴室１０と同一である。したがって、同一部分に同一符号を記して説明は省略する。
【００３４】
この場合も、移動スクリーン４６と支持壁部４４の双方を、シャワー水の跳ね返りを防止するためのスクリーンとして利用できる。また、移動スクリーン４６が湾曲しているため、移動スクリーン４６を支持壁部４４側に回転して閉じたときに、シャワーフック２７が支持壁部４４に衝突して邪魔になったりすることがない。このスクリーン構造４０を備えた浴室１０ｂのそれ以外の作用効果は、前述した浴室１０と同様である。
【００３５】
また、本発明は、前述した実施形態に限定するものでなく、適宜変更して実施することができる。例えば、前述した第１実施形態では、一対のレール部２４ａ，２４ｂをシャワーポール２３から側面部１６ａに沿って浴室１０の中央側に延ばしているが、このレール部を、上部側のレール部だけで構成して、壁面部１２まで延ばすこともできる。これによると、移動スクリーン２６を任意の場所に設置できる。
【００３６】
また、前述した各実施形態では、移動スクリーン２６，３６，４６を湾曲した曲面状の板体で構成しているが、浴槽の縁部が直線状である場合等には、平面状の板体で移動スクリーンを構成してもよい。さらに、前述した各実施形態では、移動スクリーン２６，３６，４６をシャワーポール２３，３３，４３を備えた支持機構で支持しているが、シャワーポール２３，３３，４３を支持機構から除き、レール部２４ａ，２４ｂ、収容壁部３４および支持壁部４４を、直接壁面部１３に固定することもできる。
【００３７】
また、第３実施形態に係るスクリーン構造４０において、支持壁部４４を省略して、壁面部１３またはシャワーポール４３に、直接蝶番４５ａ，４５ｂを取り付けることもできる。この場合、移動スクリーンの幅方向の長さは、移動スクリーン４６の幅よりも大きく設定する。さらに、移動スクリーン２６，３６，４６、収容壁部３４および支持壁部４４の表面に模様を施しておくこともでき、これによると、浴室１０等内の美観が向上する。
【００３８】
また、前述した各実施形態では、移動スクリーン２６，３６，４６をポリカーボネート樹脂で構成しているが、この材料としては、これに限らず、シャワーヘッド２１ａ等を保持できる程度の所定の強度を有する限りアクリル樹脂、強化ガラス等を用いることもできる。さらに、移動スクリーン２６，３６，４６の洗い場１７，３５，４５側の面に鏡を取り付けることもできる。さらに、本発明に係る浴室のスクリーン構造のそれ以外の部分の構成についても本発明の技術的範囲内で適宜変更することができる。
【図面の簡単な説明】
【００３９】
【図１】本発明の第１実施形態に係るスクリーン構造を備えた浴室を示した斜視図である。
【図２】本発明の第２実施形態に係るスクリーン構造を備えた浴室を示した斜視図である。
【図３】本発明の第３実施形態に係るスクリーン構造を備えた浴室を示した斜視図である。
【符号の説明】
【００４０】
１０，１０ａ，１０ｂ…浴室、１１，１２，１３，１４…壁面部、１６…浴槽、１６ａ…側面部、１７，３５，４５…洗い場、２０，３０，４０…スクリーン構造、２１…シャワー装置、２１ａ…シャワーヘッド、２１ｂ…シャワーホース、２２…シャワーフック、２３，３３，４３…シャワーポール、２４ａ，２４ｂ…レール部、２６，３６，４６…移動スクリーン、２７，３７…シャワーフック、３４…収容壁部、３４ａ…スクリーン収容部、４４…支持壁部、４５ａ，４５ｂ…蝶番
【図１】
2006230450.tif 000003
【図２】
2006230450.tif 000004
【図３】
2006230450.tif 000005